(57)【要約】【課題】相手装置に自機の識別データを送信し、接続確立を容易にする一方、作業条件に対応して接続を確立する相手装置を選択することが出来る情報処理装置及び画像形成装置を提供する。【解決手段】携帯電話機２とデジタル複合機１とのデータの送受信において、デジタル複合機１のリーダライタ１５によってデジタル複合機１の固有アドレスが書き込まれた携帯電話機２からの第１接続確立要求、及び／又は前記携帯電話機２以外からの第２接続確立要求を、選択的に受け付けるように構成する。【選択図】図２
2010219681.tif 000002
【特許請求の範囲】
【請求項１】
通信装置と、該通信装置からデータを取得して、該データの処理を行う情報処理装置とを備える情報処理システムにおいて、
前記情報処理装置は、
通信装置とデータの送受信を行う第１送受信手段と、
第１送受信手段用の識別データを前記通信装置に送信する送信手段とを備え、
前記第１送受信手段は、
前記送信手段から前記識別データを受信した通信装置からの第１接続確立要求、及び／又は該通信装置以外からの第２接続確立要求を受け付けるように構成されており、
前記通信装置は、
前記識別データを受信する受信手段と、  
前記受信手段によって受信した識別データを用い、前記第１送受信手段との接続を確立してデータを送受信する第２送受信手段と
を備えていることを特徴とする情報処理システム。
【請求項２】
前記情報処理装置は、
前記第１接続確立要求及び／又は第２接続確立要求の中から、受け付けすべき接続確立要求の選択を受け付ける選択受付手段と、
前記送信手段が前記識別データを送信した場合、その旨を示すデータを記憶する記憶手段と、
該記憶手段の記憶データに基づき、受信した接続確立要求が、前記第１接続確立要求であるか否かを判定する判定手段と、
該判定手段の判定結果に基づき、前記選択受付手段が受け付けた選択に係る接続確立要求を受け付けて接続の確立を行う接続確立手段と
を備えていることを特徴とする請求項１に記載の情報処理システム。
【請求項３】
前記送信手段及び受信手段はＲＦＩＤシステムを用いた通信を行うように構成され、
前記第１送受信手段及び第２送受信手段は、前記ＲＦＩＤシステムより遠距離又は高速度の無線通信を行うように構成されていることを特徴とする請求項１に記載の情報処理システム。
【請求項４】
前記通信装置は、前記受信手段が、受信した識別データを前記ＲＦＩＤシステム内の記憶領域中の、フリーエリアに記憶するように構成されていることを特徴とする請求項３に記載の情報処理システム。
【請求項５】
外部とデータの送受信を行う送受信手段と、
送受信手段用の識別データを送信する送信手段とを備え、
前記送受信手段は、
前記識別データの送信先からの第１接続確立要求、及び／又は該送信先以外からの第２接続確立要求を受け付けるように構成されていることを特徴とする情報処理装置。
【請求項６】
前記第１接続確立要求及び／又は第２接続確立要求の中から、受け付けすべき接続確立要求の選択を受け付ける選択受付手段と、
前記送信手段が前記識別データを送信した場合、その旨を示すデータを記憶する記憶手段と、
該記憶手段の記憶データに基づき、受信した接続確立要求が、前記第１接続確立要求であるか否かを判定する判定手段と、
該判定手段の判定結果に基づき、前記選択受付手段が受け付けた選択に係る接続確立要求を受け付けて接続の確立を行う接続確立手段と
を備えていることを特徴とする請求項５に記載の情報処理装置。
【請求項７】
前記送信手段はＲＦＩＤシステムを用いた通信を行うように構成され、
前記送受信手段は、前記ＲＦＩＤシステムより遠距離又は高速度の無線通信を行うように構成されていることを特徴とする請求項５に記載の情報処理装置。
【請求項８】
請求項５から請求項７に記載の情報処理装置を備え、該情報処理装置の送受信手段が受信したデータに基づき、画像を形成することを特徴とする画像形成装置。
【請求項９】
表示部と、
前記情報処理装置の送受信手段が受信したデータに基づく画像を前記表示部に表示する表示手段と
を備えていることを特徴とする請求項８に記載の画像形成装置。
【請求項１０】
携帯通信装置と、該携帯通信装置からデータを取得して、該データに基づく画像を形成する画像形成装置とを備える画像形成システムにおいて、
前記画像形成装置は、
ブルートゥース通信方式を用い、前記携帯通信装置とデータの通信を行う第１データ通信手段と、
該第１データ通信手段の固有アドレスを、ＲＦＩＤ通信方式を用い、前記携帯通信装置の記憶媒体に送信するデータ送信手段と、
該データ送信手段によって前記固有アドレスが送信された携帯通信装置からの第１接続確立要求、及び／又は該携帯通信装置以外からの第２接続確立要求の中から、受け付けすべき接続確立要求の選択を受け付ける選択受付手段と、
前記データ送信手段が前記固有アドレスの送信を行った場合、その旨を示すデータを記憶する記憶手段と、
該記憶手段の記憶データに基づき、受信した接続確立要求が、前記第１接続確立要求であるか否かを判定する判定手段と、
該判定手段の判定結果に基づき、前記選択受付手段が受け付けた選択に係る接続確立要求を受け付けて接続の確立を行う接続確立手段とを備え、
前記携帯通信装置は、
ＲＦＩＤ通信方式を用い、前記固有アドレスを受信するアドレス受信手段と、  
該アドレス受信手段によって受信した固有アドレスを用い、前記第１データ通信手段とブルートゥース通信方式を用いてデータを送受信する第２データ通信手段とを備えており、
前記第１データ通信手段は、前記接続確立手段によって接続が確立された携帯通信装置から画像データを受信し、
前記第１データ通信手段によって受信された画像データに基づく画像が、シートに形成されるように構成されていることを特徴とする画像形成システム。
【請求項１１】
ブルートゥース通信方式を用い、通信を行う通信手段と、
該通信手段の固有アドレスを、ＲＦＩＤ通信方式を用い、送信する送信手段と、
前記固有アドレスの送信先からの第１接続確立要求、及び／又は該送信先以外からの第２接続確立要求の中から、受け付けすべき接続確立要求の選択を受け付ける選択受付手段と、
前記送信手段が前記固有アドレスの送信を行った場合、その旨を示すデータを記憶する記憶手段と、
該記憶手段の記憶データに基づき、受信した接続確立要求が、前記第１接続確立要求であるか否かを判定する判定手段と、
該判定手段の判定結果に基づき、前記選択受付手段が受け付けた選択に係る接続確立要求を受け付けて接続の確立を行う接続確立手段とを備え、
前記通信手段は画像データを受信し、前記通信手段によって受信された画像データに基づく画像が、シートに形成されるように構成されていることを特徴とする画像形成装置。
【発明の詳細な説明】
【技術分野】
【０００１】
本発明は、選択的に接続確立を行う情報処理装置及び該情報処理装置を備える情報処理システム、並びに前記情報処理装置を備える画像形成装置及び該画像形成装置を備える画像形成システムに関する。
【背景技術】
【０００２】
最近、カメラ機能が搭載された携帯電話機が普及されており、何時でも、何処でも、お手軽にデジタル写真の撮影ができる。また、携帯電話機に装着されたメモリが大容量化しており、デジタル写真、ビジネス文書等のデータを保存する、パーソナルな記憶デバイスとしての利用例も増えている。
【０００３】
特許文献１では、ユーザが自分の非接触ＩＤカード（又は該非接触ＩＤカードを内蔵した無線通信機器）を画像処理装置のカードリーダライタ部に近づけた場合、前記非接触ＩＤカードのＩＣチップが、前記カードリーダライタ部から常に出されている、前記画像処理装置のＩＤを示す端末ＩＤを含んだ微弱な電波を受信して、前記端末ＩＤを取得し、該端末ＩＤを用いて非接触ＩＤカードのユーザＩＤを画像処理装置へ送信する無線通信方法が開示されている。
【０００４】
一方、特許文献２では、パーソナルコンピュータのリーダライタと電磁波により通信する非接触ＩＣカードが設けられている携帯電話機を、ユーザが前記パーソナルコンピュータに近接させることにより、前記リーダライタから輻射される電磁波が前記非接触ＩＣカードにおいて受信されたとき、前記携帯電話機は、前記非接触ＩＣカードに設定されているカードＩＤを前記パーソナルコンピュータに通知し、該パーソナルコンピュータは、通知されたカードＩＤに基づいて、前記携帯電話機を識別し、通信相手として特定する通信システムが開示されている。
【先行技術文献】
【特許文献】
【０００５】
【特許文献１】特開２００７−２６７３７０号公報
【特許文献２】特開２００３−３２１７６号公報
【発明の概要】
【発明が解決しようとする課題】
【０００６】
一方、ユーザが前記携帯電話機のメモリ内に保存したデジタル写真、ビジネス文書等のデータを印刷する方法としては、前記携帯電話機のメモリを画像形成装置の読み取り装置に直接つないで印刷すべきデータ（以下、印刷データ）を前記画像形成装置に送信して印刷を行う方法と、前記携帯電話機と無線のデータ送受信可能な画像形成装置に無線で印刷データを送信して印刷を行う方法等がある。
【０００７】
上記の前記携帯電話機のメモリを画像形成装置の読み取り装置に直接つなぐ方法の場合は、カード型のメモリを前記携帯電話機から引き出し、前記画像形成装置のメモリカードリーダに挿入して行う必要がある。また、印刷が完了した後は、再び、カード型のメモリを前記携帯電話機に挿入する必要があり、非常に煩わしい作業が要求されるうえに、印刷の完了後に、前記画像形成装置のメモリカードリーダからカード型のメモリを抜き忘れする恐れもある。
【０００８】
また、画像形成装置に無線で印刷データを送信して印刷を行う方法としては、例えば、ブルートゥース（登録商標）技術による無線通信を行う場合、ＲＦＩＤシステムを用いた無線通信を行う場合、前記携帯電話機及び画像形成装置の間で赤外線通信が行われる場合等がある。
【０００９】
ブルートゥース技術による無線通信を行う場合においては、双方の機器間を通信可能な状態に設定（認証）を行う操作が必要である。例えば、前記携帯電話機及び画像形成装置が、共にブルートゥース対応可能であって、互いにブルートゥース技術による無線通信を行う場合、通称ペアリング（又はボンディング）と呼ばれる設定操作によって相手を特定し、双方を通信可能な状態に設定する必要がある。
【００１０】
しかしながら、前記ペアリングには複雑で面倒な操作が必要である。例えば、ユーザが前記携帯電話機のメモリ内の画像データを、画像形成装置を用いて印刷する場合、ユーザは前記携帯電話機を用いて、所定半径範囲（例えば、１００ｍ）の無線通信可能な画像形成装置を検索し、該検索の結果として前記携帯電話機の表示部に表示される複数の画像形成装置のブルートゥースアドレスの中から、前記画像形成装置のブルートゥースアドレスを判別することを必要とするが、前記判別は非常に難しい作業である。なお、前記判別が正常的に行われたとしても、その後、双方を通信可能な状態に設定するための細かい操作が更に必要である。なお、前記画像形成装置が、コンビニエンスストアに設置された貸し出し用の画像形成装置である場合は、新規のユーザが多いので、はじめてのブルートゥース機器に対する無線通信が多く、その都度前記ペアリングを行う必要もある。
【００１１】
一方、前記携帯電話機及び画像形成装置の間で赤外線通信が行われる場合には、ユーザは、前記印刷データを無線で送信する間、印刷すべき前記携帯電話機の赤外線ポートと、画像形成装置の赤外線ポートとを向き合わせた状態で、前記携帯電話機を所定時間固定する煩雑な操作も必要である。
【００１２】
また、例えば、Ｆｅｌｉｃａ（登録商標）、Ｅｄｙ（登録商標）等のＲＦＩＤシステムを用いた無線通信を行う場合、通信速度が遅いことから、前記印刷データを無線で送信するために、前記携帯電話を前記画像形成装置に所定時間かざしておく必要がある。
【００１３】
これらを簡単に行う方法として特許文献１の無線通信方法及び特許文献２の通信システムが知られている。上述したように、特許文献１の無線通信方法及び特許文献２の通信システムは何れも、いわゆるＲＦＩＤシステムを用い、非接触ＩＤカード（非接触ＩＣカード）を画像処理装置のカードリーダライタ部（パーソナルコンピュータのリーダライタ）に近づけた場合は、自動的に非接触ＩＤカードのユーザＩＤ（非接触ＩＣカードのカードＩＤ）を画像処理装置（パーソナルコンピュータ）へ送信するように構成されている。
【００１４】
しかしながら、特許文献１の無線通信方法及び特許文献２の通信システムでは、カードリーダライタ部（パーソナルコンピュータのリーダライタ）を介して行われる接続確立と、例えば一端接続が確立された後に残る通信履歴を用いて行われる接続確立とが何れも常に可能であるように構成されていることから、作業環境上の接続確立の制限要求に対応することが出来ない。
【００１５】
例えば、社内機密が取り扱われることから、前記画像処理装置（パーソナルコンピュータ）に送られる、非接触ＩＤカードのユーザＩＤ（非接触ＩＣカードのカードＩＤ）を認証した上、一部の社員にのみに前記画像処理装置（パーソナルコンピュータ）の使用を許可する場合、特許文献１の無線通信方法及び特許文献２の通信システムでは、通信履歴を用いて行われる接続確立が常に可能であり、対応できない。
【００１６】
本発明は、斯かる事情に鑑みてされたものであり、その目的とするところは、通信装置と、該通信装置からデータを取得して、該データの処理を行う情報処理装置とを備える情報処理システムにおいて、前記情報処理装置は、前記通信装置とデータの送受信を行う第１送受信手段と、第１送受信手段用の識別データを前記通信装置に送信する送信手段とを備え、前記通信装置は、前記識別データを受信する受信手段と、前記受信手段によって受信した識別データを用い、前記第１送受信手段との接続を確立してデータを送受信する第２送受信手段とを備え、前記情報処理装置は、前記識別データを受信した通信装置からの第１接続確立要求、及び／又は該通信装置以外からの第２接続確立要求を受け付けることにより、前記情報処理装置が相手の通信装置に自機の識別データを送信し、接続確立を容易にする一方、作業条件に対応して接続を確立する相手の通信装置を選択することが出来る情報処理システムを提供することにある。
【００１７】
本発明の他の目的は、携帯通信装置と、該携帯通信装置からデータを取得して、該データに基づく画像を形成する画像形成装置とを備える画像形成システムにおいて、前記画像形成装置は、ブルートゥース通信方式を用い、前記携帯通信装置とデータの通信を行う第１データ通信手段と、該第１データ通信手段の固有アドレスを、ＲＦＩＤ通信方式を用い、前記携帯通信装置の記憶媒体に送信するデータ送信手段とを備え、前記携帯通信装置は、ＲＦＩＤ通信方式を用い、前記固有アドレスを受信するアドレス受信手段と、該アドレス受信手段によって受信した固有アドレスを用い、前記第１データ通信手段とブルートゥース通信方式を用いてデータを送受信する第２データ通信手段とを備え、前記固有アドレスを受信した携帯通信装置からの第１接続確立要求、及び／又は該携帯通信装置以外からの第２接続確立要求を受け付け、接続が確立された携帯通信装置から画像データを受信し、該画像データに基づく画像をシートに形成することにより、前記画像形成装置が相手の携帯通信装置に自機の固有アドレスを送信し、接続確立を容易にする一方、作業条件に対応して接続を確立してデータを受信する相手の携帯通信装置を選択することが出来る画像形成システムを提供することにある。
【００１８】
本発明の他の目的は、外部とデータの送受信を行う送受信手段（通信手段）と、送受信手段用の識別データ（固有アドレス）を外部に送信する送信手段とを備え、前記識別データの送信先からの第１接続確立要求、及び／又は前記送信先以外からの第２接続確立要求を受け付けるように構成することにより、相手装置に自機の識別データを送信し、接続確立を容易にする一方、作業条件に対応して接続を確立する相手装置を選択することが出来る情報処理装置及び画像形成装置を提供することにある。
【課題を解決するための手段】
【００１９】
本発明に係る情報処理システムは、通信装置と、該通信装置からデータを取得して、該データの処理を行う情報処理装置とを備える情報処理システムにおいて、前記情報処理装置は、通信装置とデータの送受信を行う第１送受信手段と、第１送受信手段用の識別データを前記通信装置に送信する送信手段とを備え、前記第１送受信手段は、前記送信手段から前記識別データを受信した通信装置からの第１接続確立要求、及び／又は該通信装置以外からの第２接続確立要求を受け付けるように構成されており、前記通信装置は、前記識別データを受信する受信手段と、前記受信手段によって受信した識別データを用い、前記第１送受信手段との接続を確立してデータを送受信する第２送受信手段とを備えていることを特徴とする。
【００２０】
本発明にあっては、前記通信装置及び情報処理装置のデータの送受信の場合、情報処理装置の送信手段が、第１送受信手段用の識別データを前記通信装置の受信手段に送信し、前記第２送信手段は、前記受信手段によって受信した識別データを用い、前記第１送受信手段との接続を確立する。斯かる接続の確立の際、前記情報処理装置の第１送受信手段は、前記第１接続確立要求、及び／又は第２接続確立要求を選択的に受け付ける。
【００２１】
本発明に係る情報処理システムは、前記情報処理装置は、前記第１接続確立要求及び／又は第２接続確立要求の中から、受け付けすべき接続確立要求の選択を受け付ける選択受付手段と、前記送信手段が前記識別データを送信した場合、その旨を示すデータを記憶する記憶手段と、該記憶手段の記憶データに基づき、受信した接続確立要求が、前記第１接続確立要求であるか否かを判定する判定手段と、該判定手段の判定結果に基づき、前記選択受付手段が受け付けた選択に係る接続確立要求を受け付けて接続の確立を行う接続確立手段とを備えていることを特徴とする。
【００２２】
本発明にあっては、例えば、前記選択受付手段が受け付けすべき接続確立要求の選択を受け付けた後、接続確立要求を受信した場合、前記判定手段は、前記記憶手段の記憶データに基づき、受信した接続確立要求が前記第１接続確立要求であるか否かを判定する。前記記憶手段に、前記識別データを送信した旨のデータが記憶されている場合は、前記判定手段は、受信した接続確立要求は前記識別データを受信した通信装置からのものであると判定し、前記識別データを送信していない旨のデータが記憶されている場合は、前記判定手段は、受信した接続確立要求は前記識別データを受信した通信装置からのものでないと判定する。斯かる判定結果に基づき、前記接続確立手段は、前記選択受付手段が受け付けた選択に係る接続確立要求を受け付けて接続の確立を行う。
【００２３】
本発明に係る情報処理システムは、前記送信手段及び受信手段はＲＦＩＤシステムを用いた通信を行うように構成され、前記第１送受信手段及び第２送受信手段は、前記ＲＦＩＤシステムより遠距離又は高速度の無線通信を行うように構成されていることを特徴とする。
【００２４】
本発明にあっては、例えば、前記受信手段及び送信手段は、夫々接触又は非接触ＩＣカード及びカードリーダであって、ＲＦＩＤシステムを用いた通信を行い、前記第１送受信手段及び第２送受信手段は共にブルートゥース対応デバイスであって、ブルートゥース通信方式による無線通信を行う。
【００２５】
本発明に係る情報処理システムは、前記通信装置は、前記受信手段が、受信した識別データを前記ＲＦＩＤシステム内の記憶領域中の、フリーエリアに記憶するように構成されていることを特徴とする。
【００２６】
本発明にあっては、前記通信装置の受信手段が、第１送受信手段用の識別データを受信した場合、前記ＲＦＩＤシステム内の記憶領域中の、フリーエリアに記憶する。
【００２７】
本発明に係る情報処理装置は、外部とデータの送受信を行う送受信手段と、送受信手段用の識別データを送信する送信手段とを備え、前記送受信手段は、前記識別データの送信先からの第１接続確立要求、及び／又は該送信先以外からの第２接続確立要求を受け付けるように構成されていることを特徴とする。
【００２８】
本発明にあっては、前記送受信手段が外部とデータの送受信を行う際、前記送信手段からの前記識別データの送信先からの第１接続確立要求、及び／又は該送信先以外からの第２接続確立要求を選択的に受け付ける。
【００２９】
本発明に係る情報処理装置は、前記第１接続確立要求及び／又は第２接続確立要求の中から、受け付けすべき接続確立要求の選択を受け付ける選択受付手段と、前記送信手段が前記識別データを送信した場合、その旨を示すデータを記憶する記憶手段と、該記憶手段の記憶データに基づき、受信した接続確立要求が、前記第１接続確立要求であるか否かを判定する判定手段と、該判定手段の判定結果に基づき、前記選択受付手段が受け付けた選択に係る接続確立要求を受け付けて接続の確立を行う接続確立手段とを備えていることを特徴とする。
【００３０】
本発明にあっては、例えば、前記選択受付手段が受け付けすべき接続確立要求の選択を受け付けた後、接続確立要求を受信した場合、前記判定手段は、前記記憶手段の記憶データに基づき、受信した接続確立要求が前記第１接続確立要求であるか否かを判定する。前記記憶手段に、前記識別データを送信した旨のデータが記憶されている場合は、前記判定手段は、受信した接続確立要求が前記識別データの送信先からのものであると判定し、前記識別データを送信していない旨のデータが記憶されている場合は、前記判定手段は、受信した接続確立要求が前記識別データの送信先からのものでないと判定する。斯かる判定結果に基づき、前記接続確立手段は、前記選択受付手段が受け付けた選択に係る接続確立要求を受け付けて接続の確立を行う。
【００３１】
本発明に係る情報処理装置は、前記送信手段はＲＦＩＤシステムを用いた通信を行うように構成され、前記送受信手段は、前記ＲＦＩＤシステムより遠距離又は高速度の無線通信を行うように構成されていることを特徴とする。
【００３２】
本発明にあっては、例えば、前記送信手段は、接触又は非接触ＩＣカードに対応するカードリーダであって、ＲＦＩＤシステムを用いた通信を行い、前記送受信手段はブルートゥース対応デバイスであって、ブルートゥース通信方式を用い、相手のブルートゥース対応デバイスと無線通信を行う。
【００３３】
本発明に係る画像形成装置は、上記の発明の情報処理装置を備え、該情報処理装置の送受信手段が受信したデータに基づき、画像を形成することを特徴とする。
【００３４】
本発明にあっては、前記情報処理装置の送受信手段が、前記第１接続確立要求、及び／又は第２接続確立要求を選択的に受け付けて外部の装置と接続を確立し、前記装置から受信したデータに基づく画像の形成を行う。
【００３５】
本発明に係る画像形成装置は、表示部と、前記情報処理装置の送受信手段が受信したデータに基づく画像を前記表示部に表示する表示手段とを備えていることを特徴とする。
【００３６】
本発明にあっては、接続が確立した外部の装置から、前記情報処理装置の送受信手段がデータを受信した場合、前記表示手段は、前記データに基づく画像を前記表示部に表示する。
【００３７】
本発明に係る画像形成システムは、携帯通信装置と、該携帯通信装置からデータを取得して、該データに基づく画像を形成する画像形成装置とを備える画像形成システムにおいて、前記画像形成装置は、ブルートゥース通信方式を用い、前記携帯通信装置とデータの通信を行う第１データ通信手段と、該第１データ通信手段の固有アドレスを、ＲＦＩＤ通信方式を用い、前記携帯通信装置の記憶媒体に送信するデータ送信手段と、該データ送信手段によって前記固有アドレスが送信された携帯通信装置からの第１接続確立要求、及び／又は該携帯通信装置以外からの第２接続確立要求の中から、受け付けすべき接続確立要求の選択を受け付ける選択受付手段と、前記データ送信手段が前記固有アドレスの送信を行った場合、その旨を示すデータを記憶する記憶手段と、該記憶手段の記憶データに基づき、受信した接続確立要求が、前記第１接続確立要求であるか否かを判定する判定手段と、該判定手段の判定結果に基づき、前記選択受付手段が受け付けた選択に係る接続確立要求を受け付けて接続の確立を行う接続確立手段とを備え、前記携帯通信装置は、ＲＦＩＤ通信方式を用い、前記固有アドレスを受信するアドレス受信手段と、該アドレス受信手段によって受信した固有アドレスを用い、前記第１データ通信手段とブルートゥース通信方式を用いてデータを送受信する第２データ通信手段とを備えており、前記第１データ通信手段は、前記接続確立手段によって接続が確立された携帯通信装置から画像データを受信し、前記第１データ通信手段によって受信された画像データに基づく画像が、シートに形成されるように構成されていることを特徴とする。
【００３８】
本発明にあっては、前記携帯通信装置及び画像形成装置のデータの通信の場合、画像形成装置の送信手段が、第１データ通信手段の固有アドレスを前記携帯通信装置の受信手段に送信し、前記第２データ通信手段は、前記受信手段によって受信した固有アドレスを用い、前記第１データ通信手段との接続を確立する。斯かる接続の確立の際には、例えば、前記選択受付手段が受け付けすべき接続確立要求の選択を受け付けた後、接続確立要求を受信した場合、前記判定手段は、前記記憶手段の記憶データに基づき、受信した接続確立要求が前記第１接続確立要求であるか否かを判定する。つまり、前記記憶手段に、前記固有アドレスを送信した旨のデータが記憶されている場合は、前記判定手段は、受信した接続確立要求は前記固有アドレスを受信した携帯通信装置からである、第１接続確立要求であると判定し、前記固有アドレスを送信していない旨のデータが記憶されている場合は、前記判定手段は、受信した接続確立要求は前記固有アドレスを受信した携帯通信装置からのものでないと、つまり前記第１接続確立要求でないと判定する。斯かる判定結果に基づき、前記接続確立手段は、前記選択受付手段が受け付けた選択に係る接続確立要求を受け付けて接続の確立を行う。接続の確立後、前記第１データ通信手段は、前記接続確立手段によって接続が確立された携帯通信装置から画像データを受信し、前記第１データ通信手段によって受信された画像データに基づく画像が、シートに形成される。
【００３９】
本発明に係る画像形成装置は、ブルートゥース通信方式を用い、通信を行う通信手段と、該通信手段の固有アドレスを、ＲＦＩＤ通信方式を用い、送信する送信手段と、前記固有アドレスの送信先からの第１接続確立要求、及び／又は該送信先以外からの第２接続確立要求の中から、受け付けすべき接続確立要求の選択を受け付ける選択受付手段と、前記送信手段が前記固有アドレスの送信を行った場合、その旨を示すデータを記憶する記憶手段と、該記憶手段の記憶データに基づき、受信した接続確立要求が、前記第１接続確立要求であるか否かを判定する判定手段と、該判定手段の判定結果に基づき、前記選択受付手段が受け付けた選択に係る接続確立要求を受け付けて接続の確立を行う接続確立手段とを備え、前記通信手段は画像データを受信し、前記通信手段によって受信された画像データに基づく画像が、シートに形成されるように構成されていることを特徴とする。
【００４０】
本発明にあっては、例えば、前記通信手段が外部とデータの通信を行う際、前記送信手段が前記固有アドレスを外部の装置に送信する。前記選択受付手段は、前記固有アドレスの送信先からの第１接続確立要求、及び／又は該送信先以外からの第２接続確立要求の中から、受け付けすべき接続確立要求の選択を受け付ける。その後、接続確立要求を受信した場合、前記判定手段は、前記記憶手段の記憶データに基づき、受信した接続確立要求が前記第１接続確立要求であるか否かを判定する。つまり、前記記憶手段に、前記固有アドレスを送信した旨のデータが記憶されている場合は、前記判定手段は、受信した接続確立要求は前記固有アドレスの送信先からである、前記第１接続確立要求であると判定し、前記固有アドレスを送信していない旨のデータが記憶されている場合は、前記判定手段は、受信した接続確立要求は前記固有アドレスの送信先からのものでないと、つまり前記第１接続確立要求でないと判定する。斯かる判定結果に基づき、前記接続確立手段は、前記選択受付手段が受け付けた選択に係る接続確立要求を受け付けて接続の確立を行う。前記通信手段は接続が確立された外部の装置から画像データを受信し、前記通信手段によって受信された画像データに基づく画像が、シートに形成される。
【発明の効果】
【００４１】
本発明によれば、前記情報処理装置が相手の通信装置に自機の識別データを送信し、前記識別データを受信した通信装置からの第１接続確立要求、及び／又は該通信装置以外からの第２接続確立要求を選択的に受け付けるので、相手の通信装置との接続確立を容易にすると共に、作業条件の変化又はユーザの必要に対応して、接続を確立する相手の通信装置を選択することが可能となる。
【００４２】
本発明によれば、前記画像形成装置が相手の携帯通信装置に自機の固有アドレスを送信し、前記固有アドレスを受信した携帯通信装置からの第１接続確立要求、及び／又は該携帯通信装置以外からの第２接続確立要求を受け付け、接続が確立された携帯通信装置から画像データを受信し、該画像データに基づく画像をシートに形成するので、接続確立を容易にすると共に、作業条件の変化又はユーザの必要に対応して、接続を確立してデータを受信する相手の携帯通信装置を選択することが可能となる。
【００４３】
本発明によれば、相手装置に自機の識別データを送信し、前記識別データの送信先からの第１接続確立要求、及び／又は前記送信先以外からの第２接続確立要求を受け付けるように構成しているので、接続確立を容易にすると共に、作業条件の変化又はユーザの必要に対応して、接続を確立する相手装置を選択することが可能となる。
【図面の簡単な説明】
【００４４】
【図１】本発明の実施の形態に係る情報処理システム及び画像形成システムの概念図である。
【図２】本発明の実施の形態に係る情報処理システム及び画像形成システムの要部構成を示すブロック図である。
【図３】本発明の実施の形態に係るデジタル複合機の制御部のＣＰＵによる処理手順を示すフローチャートである。
【図４】本発明の実施の形態に係る情報処理システム及び画像形成システムにおける、携帯電話機の接触・非接触ＩＣカードの記憶領域の構成を説明するための説明図である。
【図５】本発明の実施の形態に係るデジタル複合機の制御部のＣＰＵによる処理手順を示すフローチャートである。
【図６】本発明の実施の形態に係るデジタル複合機の制御部のＣＰＵによる処理手順を示すフローチャートである。
【図７】受け付けすべき接続確立要求の選択を受け付けるための接続選択受付画面の一例を示す例示図である。
【図８】本発明の実施の形態に係るデジタル複合機の表示部に表示されるファイル名の一覧画面の一例を示す例示図である。
【発明を実施するための形態】
【００４５】
以下、本発明の実施の形態に係る画像形成装置（情報処理装置）を、コピー機能、印刷機能等を有するデジタル複合機とし、本発明に係る情報処理システム及び画像形成システムが前記デジタル複合機及び携帯電話機（通信装置、携帯通信装置）を構成要素として有する場合を例として、図面を用いて具体的に説明する。
【００４６】
図１は本発明の実施の形態に係る情報処理システム及び画像形成システムの概念図であり、図２は本発明の実施の形態に係る情報処理システム及び画像形成システムの要部構成を示すブロック図である。実施の形態に係る情報処理システム及び画像形成システムは、デジタル複合機１及び携帯電話機２を有している。
【００４７】
デジタル複合機１は、制御部１１、画像入力部１７、画像処理部１８、画像出力部１９、記憶部１４、無線通信部１６、リーダライタ１５及び操作パネル１２等のハードウェアを備え、全体としてデジタル複合機を構成している。
【００４８】
制御部１１は、これらのハードウェアを制御するＣＰＵと、制御の際に必要なデータ等を一時的に保持するＲＡＭとを備えている。記憶部１４は、例えば、不揮発性の半導体メモリであり、画像処理用の画像データ、ハードウェア各部を制御するための制御プログラム、後述するファイル名の一覧画面及び接続選択受付画面を表示部１３に表示するためのプログラム、無線通信部１６を介して受信した画像データ等を記憶する。なお、記憶部１４には、予めパスキーが複数格納されており、制御部１１のＣＰＵは操作パネル２８、１２を介してパスキーを受け付けた場合は、該パスキーと、記憶部１４に記憶のパスキーとの比較を行う。更に、記憶部１４には、リーダライタ１５が外部の装置に無線通信部１６の固有のブルートゥースアドレス（識別データ、固有アドレス）を送信した場合、その旨を記憶する。
【００４９】
また、制御部１１は必要に応じて記憶部１４から制御プログラムをロードし、ロードした制御プログラムを実行することにより、装置全体を本発明に係るデジタル複合機として動作させる。
【００５０】
また、操作パネル１２は、ユーザの指示を受け付けるための各種ボタン、指示の確定を受け付けるエンターキー、テンキー等を備えている。また、操作パネル１２は、ユーザから受け付けすべき接続確立要求の選択を受け付けるための「接続確立制限」キーが設けられている。さらに、操作パネル１２は、液晶ディスプレイ等の表示部１３を備え、接続が確立された携帯電話機２から受信したデータに基づく画像を表示する。また、接続が確立された携帯電話機２が画像、文書等のファイル名の一覧データを有する場合は、該一覧データを取得し、該一覧データに基づく一覧画面を表示部１３に表示する。なお、表示部１３はタッチパネルとして機能するように構成されており、例えば、ユーザによって前記「接続確立制限」キーが操作された場合、表示部１３には、受け付けすべき接続確立要求の選択をユーザから受け付けるための接続選択受付画面が表示される。
【００５１】
画像入力部１７は、原稿の画像を光学的に読取る読取手段であり、読取用の原稿に光を照射する光源、例えばＣＣＤ（Charge Coupled Device）のようなイメージセンサ等を備えている。画像入力部１７では、所定の読取り位置にセットされた原稿からの反射光像を当該イメージセンサに結像させ、ＲＧＢ（R : Red, G : Green, B : Blue）のアナログ電気信号を出力する。画像入力部１７が出力したアナログ電気信号は画像処理部１８に入力される。
【００５２】
画像出力部１９は、画像処理部１８から出力される画像データに基づいて用紙、ＯＨＰフィルム等のシート上に画像形成を行う。そのため、画像出力部１９は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式にて利用者が所望する画像をシート上に形成する。なお、レーザ書込装置を用いた電子写真方式により画像形成を行う他、インクジェット方式、熱転写方式、昇華方式等により画像形成を行う構成であってもよい。
【００５３】
画像処理部１８は、画像入力部１７を通じて入力されるアナログ電気信号を基にデジタル形式の画像データを生成し、画像の種類に応じた処理を施した後、出力用の画像データを生成する。生成した画像データは画像出力部１９又は無線通信部１６に出力される。
【００５４】
無線通信部１６は、例えばブルートゥース通信方式に対応できるものであり、所定近距離（例えば、１００ｍ）内の他のブルートゥース対応デバイス（例えば、後述の無線通信部２７）と無線での接続を行う。詳しくは、ブルートゥース対応デバイスは固有のブルートゥースアドレス（識別データ）を有しており、ピコネットと呼ばれる近距離の臨時ネットワークを経由して、相互のブルートゥースアドレスを用いた通称ペアリングと呼ばれる接続相手の特定処理（認証）を行い、他のブルートゥース対応デバイスと無線で接続及び通信することができるように構成されている。前記ピコネットは、他のブルートゥース対応デバイスが所定距離範囲内に入ったとき、及び所定距離範囲から外れたときに、動的かつ自動的に確立又は消滅される。無線通信部１６は、ブルートゥース対応デバイスに限るものでなく、例えば、ＩＥＥＥ８０２．１１対応デバイスであっても良い。ただし、斯かる場合、無線通信部１６に対応する後述の無線通信部２７もＩＥＥＥ８０２．１１対応デバイスである必要がある。
【００５５】
リーダライタ１５は、後述する接触・非接触ＩＣカード２６と、いわゆる非接触方式の通信方式（ＲＦＩＤ（Radio Frequency Identification)システム）を用いて、接触・非接触の状態でのデータの送受信を行う。以下、リーダライタ１５と、接触・非接触ＩＣカード２６との間における非接触方式の通信について説明する。リーダライタ１５からは常時起動信号（電磁波）が送信されており、接触・非接触ＩＣカード２６及びリーダライタ１５が、互いに通信することが可能な程度にまで接近した場合に、接触・非接触ＩＣカード２６がリーダライタ１５から送出された電磁波を受信する。接触・非接触ＩＣカード２６は、前記電磁波を受信した場合、該電磁波の搬送波を整流して直流電源を生成し、それで内部回路を駆動させる。そして、接触・非接触ＩＣカード２６は、振幅変調を行い、前記起動信号に応じて応答信号をリーダライタ１５に送出する。例えば、Ｆｅｌｉｃａ、Ｅｄｙ等のＲＦＩＤシステム等が採用される。リーダライタ１５は、無線通信部１６の固有のブルートゥースアドレス（識別データ）を接触・非接触ＩＣカード２６に送信する。
【００５６】
通常、ブルートゥース対応デバイスが前記ペアリングを行って、接続相手との接続を確立するためには、まず所定範囲内にあって、前記ブルートゥース対応デバイスとの接続が可能なものとして、該デバイスによって検索される複数のデバイスのアドレス中から、希望するデバイス（デジタル複合機１）を選び出して指定する煩わしい操作が必要であるが、本発明のデジタル複合機１においては、このような操作を省くことが出来る。
【００５７】
一方、携帯電話機２は、装置全体を制御するＣＰＵ、プログラム、各種データ等を記録するＲＯＭ、高速な書込／読取が可能なＲＡＭ等を有する制御部２１と、電話番号、画像データ等を記憶する大容量のフラッシュメモリ２４とを備えている。また、フラッシュメモリ２４には、携帯電話機２が有する画像、文書等のファイル名の一覧、各画像のサムネイル等のデータが記憶されている。
【００５８】
さらに本発明の携帯電話機２は、通信インタフェースを備え基地局との通信を行う基地局通信部２５と、ユーザの操作を受け付ける押釦等の操作パネル２８と、撮影により映像を取得するカメラ、音声の入力を受け付けるマイク等の入力部２３と、映像を出力する液晶モニタ、音声を出力するスピーカ等の出力部２２とを備えている。
【００５９】
また、接触・非接触ＩＣカード２６と、無線通信部２７とを備えている。接触・非接触ＩＣカード２６は、いわゆる非接触方式の通信方式を用い、リーダライタ１５と接触・非接触の状態でデータの送受信を行う。上述と同様に、Ｆｅｌｉｃａ（登録商標）、Ｅｄｙ（登録商標）等が採用される。また、無線通信部２７は、上述と同様に、例えばブルートゥース通信方式に対応できるものであり、他のブルートゥース対応デバイス（例えば、無線通信部１６）が所定近距離（例えば、１００ｍ）内にある場合、前記他のブルートゥース対応デバイスと無線での接続及び通信を行う。
【００６０】
以下、本発明の実施の形態に係るデジタル複合機１による作用について説明する。斯かる説明は、デジタル複合機１が携帯電話機２から画像データを取得し、該画像データに基づく画像を印刷する場合を例とする。なお、上述したように、携帯電話機２の接触・非接触ＩＣカード２６は、デジタル複合機１のリーダライタ１５との非接触方式の通信方式（ＲＦＩＤシステム）による通信を行い、携帯電話機２の無線通信部２７は、デジタル複合機１の無線通信部１６とのブルートゥース通信方式による無線通信を行う。また、携帯電話機２は、デジタル複合機１からの要求に応じて前記一覧データをフラッシュメモリ２４から読み出し、デジタル複合機１に送信するものとする。
【００６１】
まず、本発明の実施の形態に係るデジタル複合機１による作用の概要を説明する。デジタル複合機１は、携帯電話機２が所定距離範囲に接近した場合、無線通信部１６のブルートゥースアドレス（以下、複合機側アドレスという。）を、携帯電話機２の接触・非接触ＩＣカード２６に送信し、その旨を示すデータを記憶部１４に記憶しておく。図３は本発明の実施の形態に係るデジタル複合機１の制御部１１のＣＰＵによる処理手順を示すフローチャートである。
【００６２】
デジタル複合機１のＣＰＵは携帯電話機２が所定範囲内に接近しているか否かを判定する（ステップＳ１０１）。上述したように、デジタル複合機１にはリーダライタ１５が設けられており、携帯電話機２には接触・非接触ＩＣカード２６が設けられている。デジタル複合機１のリーダライタ１５では、常時起動信号（電磁波）が送信されており、例えば、ユーザが携帯電話機２を、デジタル複合機１のリーダライタ１５にかざした場合には、上述した手法によって、携帯電話機２の接触・非接触ＩＣカード２６から、前記起動信号に応じた応答信号がリーダライタ１５に送出される。デジタル複合機１のＣＰＵは、該応答信号を受信した場合に、携帯電話機２が所定範囲内に接近していると判定する。
【００６３】
デジタル複合機１のＣＰＵは、携帯電話機２が所定範囲内に接近していないと判定した場合（ステップＳ１０１：ＮＯ）、携帯電話機２が所定範囲内に接近するまで待機する。一方、デジタル複合機１のＣＰＵは、携帯電話機２が所定範囲内に接近していると判定した場合（ステップＳ１０１：ＹＥＳ）、前記複合機側アドレスを読み出してリーダライタ１５に送り、リーダライタ１５は前記複合機側アドレスを、携帯電話機２の接触・非接触ＩＣカード２６に送信する（ステップＳ１０２）。携帯電話機２の接触・非接触ＩＣカード２６に送信された前記複合機側アドレスは、接触・非接触ＩＣカード２６の記憶領域に記憶する。
【００６４】
図４は接触・非接触ＩＣカード２６の記憶領域の構成を説明するための説明図である。接触・非接触ＩＣカード２６の記憶領域は、共通領域２６Ｂ及びプライベート領域２６Ａ（フリーエリア）を備えている。受信した前記複合機側アドレス（識別データ）は、接触・非接触ＩＣカード２６のプライベート領域２６Ａに書き込まれる。プライベート領域２６Ａは、サービス事業者が自由に利用することが可能な領域である。プライベート領域２６Ａを用いることで自由度の高い書き込みが可能となる。一方共通領域にデータを書き込むことも可能であるが、この場合はカードのネットワークスのリモート発行システムを利用しなければならず、書き込む場合の自由度が低いと言う問題がある。
【００６５】
次いでデジタル複合機１のＣＰＵは、リーダライタ１５による前記複合機側アドレスの送信があった旨示すデータを記憶部１４に記憶する。例えば、記憶部１４の記憶領域の一部には、リーダライタ１５による前記複合機側アドレスの送信如何を記憶する、ジョブ状況管理領域が設けられている。デジタル複合機１のＣＰＵは、リーダライタ１５による前記複合機側アドレスの送信がある前を「停止状態」として、その旨を記憶部１４のジョブ状況管理領域に書き込み、リーダライタ１５による前記複合機側アドレスの送信があった後を「実行状態」として、その旨を記憶部１４のジョブ状況管理領域に書き換えて記憶する（ステップＳ１０３）。
【００６６】
その後、デジタル複合機１のＣＰＵは、「接続確立及びデータ受信処理」を行う（ステップＳ１０４）。斯かる「接続確立及びデータ受信処理」は、後述するステップＳ２０１からステップＳ２０８までの処理である。
【００６７】
「接続確立及びデータ受信処理」を完了した後、デジタル複合機１のＣＰＵは、再び記憶部１４に「停止状態」を書き込み（ステップＳ１０５）、処理を終了する。
【００６８】
以下、本発明の実施の形態に係るデジタル複合機１による「接続確立及びデータ受信処理」を詳しく説明する。図５及び図６は本発明の実施の形態に係るデジタル複合機１の制御部１１のＣＰＵによる処理手順を示すフローチャートである。
【００６９】
まず、デジタル複合機１のＣＰＵは、前記「接続確立制限」のキーを監視することによって、ユーザによる前記「接続確立制限」のキーの操作が行われた場合、前記接続選択受付画面を表示部１３に表示し、前記接続選択受付画面を介して受け付けすべき接続確立要求の選択を受け付ける（ステップＳ２０１）。
【００７０】
斯かる処理について、以下に詳しく説明する。外部の装置からデジタル複合機１（無線通信部１６）への接続確立要求は、２つのパターンに大別できる。一つ目は、リーダライタ１５から前記複合機側アドレスを受信し、該複合機側アドレスを用いて、無線通信部１６に接続確立を要求するパターンである。すなわち、前記複合機側アドレスの送信先からの接続確立要求（第１接続確立要求）である。二つ目は、リーダライタ１５から前記複合機側アドレスを受信せず、無線通信部１６に接続確立を要求するパターンである。すなわち、前記複合機側アドレスの送信先以外からの接続確立要求（第２接続確立要求）である。例えば、デジタル複合機１（無線通信部１６）から所定近距離（例えば、１００ｍ）内の他のブルートゥース対応デバイスによって、デジタル複合機１（無線通信部１６）の複合機側アドレスが検索可能であるので、該検索によって取得した前記複合機側アドレスを用いて接続確立を要求する、又は以前デジタル複合機１（無線通信部１６）との通信を行ったことがあり、該通信の履歴を用いて接続確立を要求するものである。本発明に係るデジタル複合機１は、このような２つのパターンの中で必要に応じて選択的に接続を確立することが出来る。以下においては、前記一つ目を「経由パターン」（第１接続確立要求）とし、前記二つ目を「ダイレクトパターン」（第２接続確立要求）とする。
【００７１】
図７は受け付けすべき接続確立要求の選択を受け付けるための接続選択受付画面の一例を示す例示図である。前記接続選択受付画面には、「１．リーダライタ経由のみ許可」、「２．ダイレクトのみ許可」、「３．両方許可」の選択肢（ソフトキー）が表示されており、ユーザは操作パネル１２（又はタッチパネル）を適宜操作することによって、何れか一つを選択することが出来る。このようにして受け付けた選択は、記憶部１４に記憶される。例えば、「１．リーダライタ経由のみ許可」が選択された場合は前記「経由パターン」の接続確立要求のみが受け付けられ、「２．ダイレクトのみ許可」が選択された場合は前記「ダイレクトパターン」の接続確立要求のみが受け付けられ、「３．両方許可」が選択された場合は「経由パターン」の接続確立要求、及び「ダイレクトパターン」の接続確立要求の何れもが受け付けられる。
【００７２】
一方、携帯電話機２のＣＰＵは、デジタル複合機１から前記複合機側アドレスを受信したと場合（ステップＳ１０２参照）、受信した前記複合機側アドレスを接触・非接触ＩＣカード２６の記憶領域に記憶し、デジタル複合機１にペアリングの要求、及び後述する携帯電話機側アドレスを送信する（ステップＳ３０１）。斯かる処理は、デジタル複合機１の無線通信部１６に対応する無線通信部２７のブルートゥースアドレス（以下、携帯電話機側アドレスという。）と、ペアリングを要求する旨のデータとを、前記無線通信部２７を介してデジタル複合機１の無線通信部１６に送信することにより行われる。
【００７３】
デジタル複合機１のＣＰＵは無線通信部１６を監視することにより、携帯電話機２から接続確立要求（又はペアリング要求）があったか否かを判定する（ステップＳ２０２）。デジタル複合機１のＣＰＵは、接続確立要求（及び前記携帯電話機側アドレス）の受信がなかったと判定した場合（ステップＳ２０２：ＮＯ）、携帯電話機２から接続確立要求（及び前記携帯電話機側アドレス）の受信があるまで待機する。デジタル複合機１のＣＰＵは、接続確立要求（及び前記携帯電話機側アドレス）の受信があったと判定した場合（ステップＳ２０２：ＹＥＳ）、受信した携帯電話機側アドレスを記憶部１４に記憶する。
【００７４】
次いで、デジタル複合機１のＣＰＵは記憶部１４に記憶されているデータに基づき、ステップＳ２０１にて受け付けた選択が「経由パターン」か否かを判定する（ステップＳ２０３）。デジタル複合機１のＣＰＵはステップＳ２０１にて受け付けた選択が「経由パターン」であると判定した場合（ステップＳ２０３：ＹＥＳ）、ステップＳ２０２にて受信した接続確立要求がリーダライタ１５経由か否かを判定する（ステップＳ２０４）。つまり、デジタル複合機１のＣＰＵは、記憶部１４のジョブ状況管理領域に記憶されているデータを参照することにより、ステップＳ２０２にて受信した接続確立要求がリーダライタ１５から前記複合機側アドレスを受信した装置（携帯電話機２）からの接続確立要求（第１接続確立要求）であるか否かを判定する。
【００７５】
より詳しくは、記憶部１４のジョブ状況管理領域に「実行状態」として書き込まれている場合はリーダライタ１５が前記複合機側アドレスを送信した状態であるので、受信した接続確立要求はリーダライタ１５から前記複合機側アドレスを受信した装置（携帯電話機２）からの前記「経由パターン」の接続確立要求であるとみなし、記憶部１４のジョブ状況管理領域に「停止状態」として書き込まれている場合はリーダライタ１５が前記複合機側アドレスを送信していない状態であるので、受信した接続確立要求はリーダライタ１５から前記複合機側アドレスを受信していない装置からの前記「ダイレクトパターン」の接続確立要求であるとみなす。
【００７６】
デジタル複合機１のＣＰＵは、ステップＳ２０２にて受信した接続確立要求がリーダライタ１５経由であると判定した場合（ステップＳ２０４：ＹＥＳ）、斯かる接続確立要求に応じて接続を確立するために、操作パネル１２の表示部１３にパスキーの入力を促すパスキー入力画面を表示し（ステップＳ２０５）、ユーザにパスキーの入力を要求する。デジタル複合機１のＣＰＵは操作パネル１２（又は表示部１３のタッチパネル）を介してユーザからパスキーの入力を受け付け、該パスキーを記憶部１４に一時的に記憶する。
【００７７】
また、デジタル複合機１のＣＰＵは、ステップＳ２０２にて受信した接続確立要求がリーダライタ１５経由でないと判定した場合（ステップＳ２０４：ＮＯ）、「ダイレクトパターン」の接続確立要求としてみなし、受信した接続確立要求を無効化し（ステップＳ２１７）、処理を終了する。
【００７８】
一方、ステップＳ２０３において、デジタル複合機１のＣＰＵが受け付けた選択を「経由パターン」でないと判定した場合（ステップＳ２０３：ＮＯ）、受け付けた選択が「ダイレクトパターン」であるか否かを判定する（ステップＳ２１４）。
【００７９】
デジタル複合機１のＣＰＵは、受け付けた選択が「ダイレクトパターン」でないと判定した場合（ステップＳ２１４：ＮＯ）、「３．両方許可」が選択されたものとみなし、処理をステップＳ２０５に移る。
【００８０】
デジタル複合機１のＣＰＵは、受け付けた選択が「ダイレクトパターン」であると判定した場合（ステップＳ２１４：ＹＥＳ）、ステップＳ２０２にて受信した接続確立要求がリーダライタ１５経由か否かを判定する（ステップＳ２１５）。
【００８１】
デジタル複合機１のＣＰＵは、ステップＳ２０２にて受信した接続確立要求がリーダライタ１５経由でないと判定した場合（ステップＳ２１５：ＮＯ）、斯かる接続確立要求に応じて接続を確立するために、操作パネル１２の表示部１３にパスキーの入力を促すパスキー入力画面を表示し（ステップＳ２０５）、ユーザにパスキーの入力を要求する。
【００８２】
また、デジタル複合機１のＣＰＵは、ステップＳ２０２にて受信した接続確立要求がリーダライタ１５経由であると判定した場合（ステップＳ２１５：ＹＥＳ）、つまり「経由パターン」の接続確立要求としてみなし、受信した接続確立要求を無効化し（ステップＳ２１６）、処理を終了する。
【００８３】
デジタル複合機１のＣＰＵは、ステップＳ２０５にて、操作パネル１２（又は表示部１３のタッチパネル）を介して受け付けたパスキーを記憶部１４に予め記憶されているパスキーと比較し、正しいと判定した場合は、デジタル複合機１及び携帯電話機２は接続が確立され（又はペアリングが完了）、互いに通信可能な状態に設定される。一方、正しくないと判定した場合は、その旨及び再度の入力を促す画面を表示部１３に表示する。
【００８４】
次いで、デジタル複合機１のＣＰＵは、接続が確立した携帯電話機２が有する画像、文書等のファイル名の一覧データを要求する旨のデータを、無線通信部１６を介して携帯電話機２の無線通信部２７に送信し（ステップＳ２０６）、ファイル名の一覧データを要求する。
【００８５】
一方、携帯電話機２のＣＰＵは、デジタル複合機１から前記一覧データを要求する旨のデータを受信した場合（ステップＳ３０２）、要求された一覧データを、フラッシュメモリ２４から読み出し、前記無線通信部２７を介してデジタル複合機１に送信する（ステップＳ３０３）。
【００８６】
デジタル複合機１のＣＰＵは、携帯電話機２から送信される前記一覧データを、無線通信部１６を介して受信し（ステップＳ２０７）、記憶部１４に記憶する。
【００８７】
次いで、デジタル複合機１のＣＰＵは、記憶部１４に記憶している前記一覧データに基づき、印刷を希望するファイルの選択をユーザから受け付けるためのファイル名の一覧画面を、表示部１３に表示する（ステップＳ２０８）。
【００８８】
図８はデジタル複合機１の表示部１３に表示される前記ファイル名の一覧画面の一例を示す例示図である。前記ファイル名の一覧画面には、前記一覧データに基づく複数のファイル名が、例えば、スクロール表示されており、ユーザの操作パネル１２（又は表示部１３のタッチパネル）の操作によって選択されたファイルのサムネイルが表示されるように構成されている。また、前記ファイル名の一覧画面には、「変倍」、「部数」、「印刷」等のソフトキーが設けられており、ユーザから印刷の変倍、部数等の印刷条件を受け付けることが出来る。印刷を希望するファイルの選択、印刷条件の入力が終わった場合、ユーザは「印刷」ソフトキーを操作し、印刷の開始を指示する。このような場合、携帯電話機２の小さい液晶モニタ画面を見ながら小さいキーを操作するものでなく、デジタル複合機１の大きな表示部１３にて希望するファイルの選択を行うので、画像の参照性及びキーの操作性が高くなる。
【００８９】
デジタル複合機１のＣＰＵは、操作パネル１２及び表示部１３のタッチパネルを介して、ユーザからファイルの選択を受け付け（ステップＳ２０９）、選択されたファイル（以下、選択ファイルという。）の画像データを要求する旨のデータを、無線通信部１６を介して携帯電話機２に送信する（ステップＳ２１０）。
【００９０】
一方、携帯電話機２のＣＰＵは、デジタル複合機１から前記選択ファイルの画像データの要求を受信した場合（ステップＳ３０４）、前記選択ファイルの画像データをフラッシュメモリ２４から読み出し、前記無線通信部２７を介してデジタル複合機１に送信する（ステップＳ３０５）。
【００９１】
デジタル複合機１のＣＰＵは無線通信部１６を介して、携帯電話機２から選択ファイルの画像データを受信した場合（ステップＳ２１１）、該画像データを記憶部１４に記憶する。
【００９２】
次いで、デジタル複合機１のＣＰＵは、記憶部１４に記憶している前記画像データを画像出力部１９に送り、前記画像データに基づく画像の印刷を画像出力部１９に指示することにより、前記画像データに基づく画像を印刷する（ステップＳ２１２）。
【００９３】
デジタル複合機１のＣＰＵは、前記印刷の実行を完了した後、携帯電話機２との接続を切断し（ステップＳ２１３）、通信を終了する。なお、斯かる際、記憶部１４に記憶されている、ステップＳ２０２にて受信した携帯電話機側アドレス、及びステップＳ２０５にて受け付けたパスキーを消去するように構成しても良い。
【００９４】
以上の実施の形態の記載においては、パスキーの確実な設定のためユーザの手動入力によりパスキーを入力する場合を例として説明したが、手軽さを優先するのであればパスキーの受け渡しを、デジタル複合機１のリーダライタ１５及び携帯電話機２の接触・非接触ＩＣカード２６を介して行われるように構成しても良い。
【００９５】
なお、パスキーを入力できないデバイス（マウス、ヘッドセット等）においては、前記パスキーを固定値にする構成であってもよく、パスキーの入力が不要にするような構成であっても良い。例えば、このようなパスキーを入力できないデバイスの場合は、デフォルトとして、例えば「００００」のような単純な羅列のパスキーとしても良い。
【００９６】
また、デジタル複合機１において、「ダイレクトパターン」と設定されている場合には、デジタル複合機１のリーダライタ１５からの前記複合機側アドレス等の送信を中止するように構成しても良く、リーダライタ１５への電源の供給を中止するように構成しても良い。斯かる場合、たとえ、携帯電話機２をデジタル複合機１のリーダライタ１５にかざしても、リーダライタ１５が携帯電話機２に対して複合機側アドレス等を送信しなくなる。この構成により、「ダイレクトパターン」のみの設定時に、リーダライタ１５を経由した通信を完全に遮断することができる。
【００９７】
また「ダイレクトパターン」の設定時に、携帯電話機２をデジタル複合機１のリーダライタ１５にかざした際に、携帯電話機２又はデジタル複合機１夫々の表示部２２,１３に、現在ブルートゥース単独での接続確立のみが可能である旨、又はブルートゥース単独での接続確立を要求する旨のメッセージを表示するように構成しても良い。この表示によりユーザは自分のミスに気がついて対処方法を容易に理解することができる。逆に、「経由パターン」の設定時に、「ダイレクトパターン」での接続確立要求が外部からあった場合には、現在経由パターンでの接続確立のみが可能である旨、又は経由パターンでの接続確立を要求する旨のメッセージを、携帯電話機２又はデジタル複合機１夫々の表示部２２,１３に表示するように構成しても良い。
【００９８】
また、本発明では「実行状態」の監視により、受信した接続確立要求が「経由パターン」であるか、「ダイレクトパターン」であるかを判断していたが、これに限るものではない。例えば、デジタル複合機１が「経由パターン」に設定されている場合に、携帯電話機２がデジタル複合機１のリーダライタ１５にかざされたとき、リーダライタ１５は前記複合機側アドレス等と共にリーダライタ１５経由であることを示すフラグを携帯電話機２に送信するように構成しても良い。斯かる場合、その後におけるデジタル複合機１及び携帯電話機２間の接続確立の際に、携帯電話機２が接続確率要求と共に前記フラグをデジタル複合機１に送信し、デジタル複合機１は携帯電話機２から受信した接続確立要求に係るデータに前記フラグがあるか否かを確認することにより、その接続確立要求がリーダライタ１５経由によるものであるか、ダイレクトパターンによるものであるかを判定することができる。つまり、もし「経由パターン」に設定されているにもかかわらずフラグが確認できない場合には、ダイレクトパターンによる接続確立要求であると判断して、その接続確立要求を拒否する構成とする。このような構成により、受信した接続確立要求が、前記経由パターンに係るものであるか、前記ダイレクトパターンに係るものであるかを、一層的確に、判定することが出来る。
【００９９】
デジタル複合機１のユーザはこれらの設定方法のうち自分に適した方法を選択することにより、自分にあった接続方法での接続のみを許可することが可能となる。なお、このような接続方法の選択をユーザでなく、管理者によって行われるように構成しても良い。例えば、コンビニエンスストアに設置された貸し出し用のデジタル複合機の場合、管理者が「経由パターン」のみと設定しておくことにより、店外からブルートゥースによる接続確立要求が行われても、これを拒否することができるので、店内での前記デジタル複合機を利用するお客さんだけに、リーダライタ経由でブルートゥース通信を使用させることができる。
【０１００】
また、会社内等の限られた環境で使用する際には、「経由パターン」のみでなく、「ダイレクトパターン」の通信も可能とすることにより、例えば、デジタル複合機から離れた席にいながらも、デジタル複合機まで移動することなく、該デジタル複合機との接続を可能にすることができる。以上のように、接続方法の設定が選択可能であるので、そのデジタル複合機の使用状況又は設置状況に適した接続方法を選定することが出来ると共に、セキュリティ性をより高めることが出来る。
【０１０１】
以上の記載においては、携帯電話機からデータをデジタル複合機に送信する場合を例として説明したが、これに限るものでなく、所定のデジタル複合機が有するスキャナで読み取った原稿画像のデータを、他のデジタル複合機に送信する場合でも良く、所定のデジタル複合機の記憶装置内に蓄積されたファックス画像のデータ、電子データ等を他のデジタル複合機に送信する場合であっても良い。また、デジタル複合機１におけるリーダライタ１５及び無線通信部１６のように、２つ以上の通信手段を備える場合は、本発明の同様な効果を奏することが出来る。
【符号の説明】
【０１０２】
１  デジタル複合機
２  携帯電話機
１１  制御部
１３  表示部
１４  記憶部
１５  リーダライタ
１６  無線通信部
１９  画像出力部
２１  制御部
２２  出力部（表示部）
２６  接触・非接触ＩＣカード
２６Ａ  プライベート領域
２７  無線通信部
２４  フラッシュメモリ
【図１】
2010219681.tif 000003
【図２】
2010219681.tif 000004
【図３】
2010219681.tif 000005
【図４】
2010219681.tif 000006
【図５】
2010219681.tif 000007
【図６】
2010219681.tif 000008
【図７】
2010219681.tif 000009
【図８】
2010219681.tif 000010